(57)【要約】【課題】地上デジタル放送の変調変換によるＣＡＴＶ再送信において、新たな追加装置なしに受信機の番組配列情報の取得動作を簡潔にすること。【解決手段】予備のＣＡＴＶ再送信装置１５０では、受信可能な全ての地上デジタル放送のチャンネルの番組配列情報を自動的に収集し、システム管理装置３００に送る。システム管理装置３００では収集された番組配列情報を現用器の１００及び１０１及び１０２及び１０３に送る。現用器では送られてきた全チャンネル分の番組配列情報を現在受信しているチャンネルの信号に多重して出力することによって、受信機７００ではあるチャンネルを受信してれば、全てのチャンネルの番組配列情報を受信することが可能となる。【選択図】図１
2005217844.tif 000002
【特許請求の範囲】
【請求項１】
地上デジタル放送波を変調変換してＣＡＴＶ網に再送信するＣＡＴＶ再送信システムにおける予備のＣＡＴＶ送信装置であって、
地上デジタル放送波を受信してトランスポートストリームを出力するチューナ手段と、
出力されたトランスポートストリームから所望の番組配列情報を抽出し出力する番組配列情報抽出手段と、
現用系への切り替え信号を受信する切り替え手段と、
前記チューナ手段の選局を切り替える選局切り替え手段と、
前記番組配列情報抽出手段で抽出した前記番組配列情報を処理する番組配列情報処理手段と、
前記処理された番組配列情報を送信できる番組配列情報通信手段と、を備え、
予備系として待機している状態では、番組配列情報を収集することを特徴とする、ＣＡＴＶ再送信システムにおける予備のＣＡＴＶ送信装置。
【請求項２】
前記予備のＣＡＴＶ送信装置の選局切り替え手段は、ユーザーから指定されたチャンネルを受信し、前記指定されたチャンネルの番組配列情報を収集することを特徴とする、請求項１記載の予備のＣＡＴＶ送信装置。
【請求項３】
前記予備のＣＡＴＶ送信装置の選局切り替え手段は、ユーザーから複数のチャンネルを指定された場合、指定されたチャンネルを周期的に切り替えて受信し、前記指定された全てのチャンネルの番組配列情報を収集することを特徴とする、請求項２記載の予備のＣＡＴＶ送信装置。
【請求項４】
前記予備のＣＡＴＶ送信装置の選局切り替え手段は、受信可能な全チャンネルを自動的かつ周期的に切り替えて受信し、前記指定された全てのチャンネルの番組配列情報を収集することを特徴とする、請求項１記載の予備のＣＡＴＶ送信装置。
【請求項５】
前記予備のＣＡＴＶ送信装置は収集した全ての前記番組配列情報の内容が含まれた第２の番組配列情報を生成する番組配列情報統合手段を具備することを特徴とする、請求項１から４のいずれか一項に記載の予備のＣＡＴＶ送信装置。
【請求項６】
前記番組配列情報統合手段は、収集した全ての前記番組配列情報から異なる１チャンネル分の情報を削除した内容が含まれた前記第２の番組配列情報を受信したチャンネル数分だけ生成することを特徴とする、請求項５記載の予備のＣＡＴＶ送信装置。
【請求項７】
前記番組配列情報通信手段は収集した番組配列情報をトランスポートストリームとして他のＣＡＴＶ送信装置に送信することを特徴とする、請求項１〜６のいずれか一項に記載の予備のＣＡＴＶ送信装置。
【請求項８】
前記番組配列情報通信手段は収集した番組配列情報をネットワークを経由して他のＣＡＴＶ送信装置あるいはシステム管理装置に送信することを特徴とする、請求項１〜６のいずれか一項に記載の予備のＣＡＴＶ送信装置。
【請求項９】
地上デジタル放送波を変調変換してＣＡＴＶ網に再送信するＣＡＴＶ再送信システムであって、
１つ以上の現用系のＣＡＴＶ送信装置と、請求項１〜８のいずれか一項に記載の予備系のＣＡＴＶ送信装置とを備え、
現用系のＣＡＴＶ送信装置は、
出力されたトランスポートストリームから所望の番組配列情報を抽出し出力する番組配列情報抽出手段と、
前記番組配列情報を受信できる通信手段と、
前記トランスポートストリーム中の所望の番組配列情報を変換し第２のトランスポートストリームを生成する番組配列情報変換手段と、
前記第２のトランスポートストリームと前記通信手段より入力した前記番組配列情報とを多重する多重手段と、
前記多重手段の出力を変調しＣＡＴＶ伝送路に出力する変調手段と、を具備し、
前記通信手段は、番組配列情報を予備系のＣＡＴＶ送信装置から受信することを特徴とするＣＡＴＶ再送信システム。
【請求項１０】
地上デジタル放送波を変調変換してＣＡＴＶ網に再送信するＣＡＴＶ再送信システムであって、
１つ以上の現用系のＣＡＴＶ送信装置と、請求項１〜８のいずれか一項に記載の予備系のＣＡＴＶ送信装置と、システム管理装置とを備え、
前記現用系のＣＡＴＶ送信装置は、
出力されたトランスポートストリームから所望の番組配列情報を抽出し出力する番組配列情報抽出手段と、
前記番組配列情報を受信できる通信手段と、
前記トランスポートストリーム中の所望の番組配列情報を変換し第２のトランスポートストリームを生成する番組配列情報変換手段と、
前記第２のトランスポートストリームと前記通信手段より入力した前記番組配列情報とを多重する多重手段と、
前記多重手段の出力を変調しＣＡＴＶ伝送路に出力する変調手段とを具備し、
前記システム管理装置は、
番組配列情報を送受信する第２の通信手段と、
番組配列情報を処理する番組配列情報処理手段とを具備し、
前記第２の通信手段は、前記番組配列情報を前記予備系のＣＡＴＶ送信装置から受信し、前記番組配列情報処理手段は必要に応じて処理を加え、前記１つ以上の現用系のＣＡＴＶ送信装置に送信することを特徴とするＣＡＴＶ再送信システム。
【発明の詳細な説明】
【技術分野】
【０００１】
本発明は、地上デジタル放送を変調変換してＣＡＴＶに再送信する場合に、受信機がＢＳデジタル放送のＣＡＴＶ再送信時と同じ手段で、伝送される全てのサービスの番組配列情報を取得できるようにするためのＣＡＴＶ再送信システムに関するものである。
【背景技術】
【０００２】
現在、ＣＡＴＶ会社では放送のデジタル化が進められ、これまでに衛星放送であるＢＳデジタル放送や東経１１０度ＣＳデジタル放送（以下１１０ＣＳ放送）のＣＡＴＶ再送信が行われてきている。これらのデジタル放送のＣＡＴＶ再送信にはいくつかの方式が提案されているが、その中でも変調変換、またはトランスモジュレーション（以下ＴＭと呼ぶ）と呼ばれる方式は、デジタル放送の全てのサービスを伝送することができ、またＣＡＴＶ会社で衛星放送からの番組を一旦サービス毎に復調し再び番組構成を組み替えて再送信するため、ＣＡＴＶ会社が提供するサービスを一つの受信機で全て受信できる可能性がある。地上デジタル放送についても、いくつかのＣＡＴＶ再送信方式が提案されているが、上記のような観点から変調変換による再送信が有力な方式の一つと考えられている。
【０００３】
地上デジタル放送では、ＢＳデジタル放送や１１０ＣＳ放送と同様にＭＰＥＧ（Ｍｏｖｉｎｇ  Ｐｉｃｔｕｒｅｓ  Ｅｘｐｅｒｔｓ  Ｇｒｏｕｐ）システムが用いられる。ＭＰＥＧシステムではデジタル放送信号の圧縮と符号化及び多重化が行なわれ、さらにトランスポートストリームに流れている番組とその番組構成を示すテーブル情報が含まれており、互いに関連をもって番組配列情報（ＰＳＩ：Ｐｒｏｇｒａｍ  Ｓｐｅｃｉｆｉｃ  Ｉｎｆｏｒｍａｔｉｏｎ／ＳＩ：Ｓｅｒｖｉｃｅ  Ｉｎｆｏｒｍａｔｉｏｎ）を構成している。
【０００４】
この番組配列情報には、デジタル受信機がサービスを選局するために必要な情報や、ＥＰＧ（Ｅｌｅｃｔｒｏｎｉｃ  Ｐｒｏｇｒａｍ  Ｇｕｉｄｅ）等の番組選局を容易にするための機能に必要な情報が記述されている。ＢＳデジタル放送や１１０ＣＳ放送は、それぞれのプラットフォーム毎にネットワークを構成しており、ネットワーク内の番組配列情報はネットワーク内の全てのトランスポートストリームに一斉に送信する、所謂全局ＳＩシステムで運用されている。これにより、受信機はどのチャンネルを選局中であっても、ネットワーク内の全ての番組配列情報をリアルタイムに得ることができる。
【０００５】
しかしながら、地上デジタル放送においては、ＢＳデジタル放送や１１０ＣＳ放送とは違い、放送局毎に独立したネットワークで運用されている。すなわち、トランスポートストリームには、自らの情報のみ記述された番組配列情報が伝送されているため、受信機は他のトランスポートストリームの番組配列情報については、そのトランスポートストリームが流れているチャンネルを選局しない限り入手できないという課題があった。このため、受信機は視聴されていない時間に全てのチャンネルを順番に選局することで、全ての番組配列情報を入手する等の番組配列情報を収集する機能が必須となるが、この場合でも他のチャンネルの番組が急に変更された場合などにはリアルタイムに追従することができない。また、変調変換してＣＡＴＶ網に再送信するシステムでは、収集するために検索しなければならない周波数範囲が広範囲に渡る。このため、例えば周波数情報が変更された場合などでは、全ての周波数範囲を検索することが必要になり、受信機は長時間視聴不可能な状態になってしまう。さらに、これらの動作はＢＳデジタル放送や１１０ＣＳ放送とは異なるため、地上デジタル放送専用の受信機が必要となるか、もしくは受信機内部で地上デジタルのみ全く別のソフトウェアで動作させることが必要となる。このため、全体として機器構成が複雑で利便性が悪く、さらにコストのかかるシステムとなる。
【０００６】
これらの課題を解決する従来のＣＡＴＶ再送信システムとしては、地上デジタル放送の各チャンネル用のＣＡＴＶ送信装置で受信しているチャンネルの番組配列情報を抽出し、番組配列情報制御装置で収集して、全チャンネル分の番組配列情報を生成し、各チャンネル用のＣＡＴＶ送信装置に送る方法があった（例えば、特願２００２−２９７０４１号参照）。図２は前記特願２００２−２９７０４１号で記載された従来のＣＡＴＶ再送信装置を示すものである。
【０００７】
図２において、１００は図示しない地上デジタル放送用アンテナからの信号を受信し再送信を行うＣＡＴＶ再送信装置、１０１は地上デジタル放送の信号を受信し、トランスポートストリームを出力するチューナ部、１０２はチューナ部１０１から出力されたトランスポートストリーム上の所望の番組配列情報を選択し変更を加える番組配列情報変換部、１０３はチューナ部１０１から出力されたトランスポートストリームから所望の番組配列情報を抽出する番組配列情報抽出部、１０４は入力されたトランスポートストリームを多重する多重部、１０５は多重部１０４からのトランスポートストリームを変調し、図示しないＣＡＴＶ伝送路に出力する変調部、１０６は外部機器と通信する通信部、２００はＣＡＴＶ再送信装置１００からの番組配列情報を収集し第２の番組配列情報を生成する番組配列情報制御装置、６００はＣＡＴＶ伝送路、７００はＣＡＴＶ再送信システムからの信号を受信できる受信機、８００は受信機が受信したサービスを表示するテレビである。
【０００８】
ＣＡＴＶ再送信装置１００ではチューナ部１０１から出力されたトランスポートストリームから番組配列情報抽出部１０３が番組配列情報を抽出し、通信部１０６経由で番組配列情報制御装置２００に送信する。番組配列情報制御装置２００は各チャンネル用のＣＡＴＶ送信装置に送り返す。ＣＡＴＶ再送信装置１００では番組配列情報を収集し、全チャンネル分の番組配列情報を生成し、ＣＡＴＶ再送信装置１００では受け取った番組配列情報を多重部１０４で通常の番組信号を多重し、変調部１０５でＱＡＭ変調を行い、各家庭へと配信する。
【０００９】
また、放送局では信頼性向上のために、予備系を持つことが多い。予備系の機器は、現用機器に異常が発生した場合に、故障した機器に代わって動作すべく、待機状態をとっている。
【００１０】
予備系の機器の有効活用方法しては、予備機器の性能を用いて現用機器の動作シミュレーションを行う方法等がある（例えば特許文献１参照）。
【特許文献１】特開２００２−１３２５９３号公報
【発明の開示】
【発明が解決しようとする課題】
【００１１】
しかしながら、従来の構成では全チャンネル分の番組配列情報を生成するために新たな装置である番組配列情報制御装置が必要であったため、システムのコストアップ要因となる課題を有していた。
【００１２】
また、予備系機器は異常が発生しない間は待機しているだけか、シミュレーション等、本来の処理以外の目的で使われるなど、有効活用が十分にできていなかった。
【００１３】
本発明は、前記従来の課題を解決するもので、通常動作時待機状態であった予備系機器を用いて、新たな機器を用いることなく、予備系機器を有効活用して全チャンネル分の番組配列情報を収集できる安価な変調変換方式のＣＡＴＶ再送信システムを提供することを目的とする。
【課題を解決するための手段】
【００１４】
前記従来の課題を解決するために、本発明のＣＡＴＶ再送信システムは、予備の機器に現用系として動作する場合の機能に加えて、現用系への切り替え信号を受信する切り替え手段と、前記チューナ手段の選局を切り替える選局切り替え手段と、前記番組配列情報抽出手段で抽出した前記番組配列情報を処理する番組配列情報処理手段と、前記番組配列情報を送信できる番組配列情報通信手段を有し、予備系として待機している状態では、番組配列情報を収集を行う。
【００１５】
本構成によって、予備のＣＡＴＶ送信装置を用いて全チャンネル分の番組配列情報を収集することができる。
【００１６】
本発明は、地上デジタル放送波を変調変換してＣＡＴＶ網に再送信するＣＡＴＶ再送信システムにおける予備のＣＡＴＶ送信装置を提供し、ここで、予備のＣＡＴＶ送信装置は、地上デジタル放送波を受信してトランスポートストリームを出力するチューナ手段と、出力されたトランスポートストリームから所望の番組配列情報を抽出し出力する番組配列情報抽出手段と、現用系への切り替え信号を受信する切り替え手段と、前記チューナ手段の選局を切り替える選局切り替え手段と、前記番組配列情報抽出手段で抽出した前記番組配列情報を処理する番組配列情報処理手段と、前記処理された番組配列情報を送信できる番組配列情報通信手段と、を備え、予備系として待機している状態では、番組配列情報を収集することを特徴とする。
【００１７】
本発明の一実施の形態において、前記予備のＣＡＴＶ送信装置の選局切り替え手段は、ユーザーから指定されたチャンネルを受信し、前記指定されたチャンネルの番組配列情報を収集する。
【００１８】
本発明の一実施の形態において、前記予備のＣＡＴＶ送信装置の選局切り替え手段は、ユーザーから複数のチャンネルを指定された場合、指定されたチャンネルを周期的に切り替えて受信し、前記指定された全てのチャンネルの番組配列情報を収集する。
【００１９】
本発明の一実施の形態において、前記予備のＣＡＴＶ送信装置の選局切り替え手段は、受信可能な全チャンネルを自動的かつ周期的に切り替えて受信し、前記指定された全てのチャンネルの番組配列情報を収集する。
【００２０】
本発明の一実施の形態において、前記予備のＣＡＴＶ送信装置は収集した全ての前記番組配列情報の内容が含まれた前記第２の番組配列情報を生成する番組配列情報統合手段を具備する。
【００２１】
本発明の一実施の形態において、前記番組配列情報統合手段は、収集した全ての前記番組配列情報から異なる１チャンネル分の情報を削除した内容が含まれた前記第２の番組配列情報を受信したチャンネル数分だけ生成する。
【００２２】
本発明の一実施の形態において、前記番組配列情報通信手段は収集した番組配列情報をトランスポートストリームとして他のＣＡＴＶ送信装置に送信する。
【００２３】
本発明の一実施の形態において、前記番組配列情報通信手段は収集した番組配列情報をネットワークを経由して他のＣＡＴＶ送信装置あるいはシステム管理装置に送信する。
【００２４】
本発明はまた、地上デジタル放送波を変調変換してＣＡＴＶ網に再送信するＣＡＴＶ再送信システムであって、１つ以上の現用系のＣＡＴＶ送信装置と、上述の予備系のＣＡＴＶ送信装置とを備え、現用系のＣＡＴＶ送信装置は、出力されたトランスポートストリームから所望の番組配列情報を抽出し出力する番組配列情報抽出手段と、前記番組配列情報を受信できる通信手段と、前記トランスポートストリーム中の所望の番組配列情報を変換し第２のトランスポートストリームを生成する番組配列情報変換手段と、前記第２のトランスポートストリームと前記通信手段より入力した前記番組配列情報とを多重する多重手段と、前記多重手段の出力を変調しＣＡＴＶ伝送路に出力する変調手段と、を具備し、前記通信手段は、番組配列情報を予備系のＣＡＴＶ送信装置から受信することを特徴とするＣＡＴＶ再送信システムを提供する。
【００２５】
本発明はまた、地上デジタル放送波を変調変換してＣＡＴＶ網に再送信するＣＡＴＶ再送信システムであって、前記ＣＡＴＶ１つ以上の現用系のＣＡＴＶ送信装置と、上述のいずれか一項に記載の予備系のＣＡＴＶ送信装置と、システム管理装置とを備え、前記現用系のＣＡＴＶ送信装置は、出力されたトランスポートストリームから所望の番組配列情報を抽出し出力する番組配列情報抽出手段と、前記番組配列情報を受信できる通信手段と、前記トランスポートストリーム中の所望の番組配列情報を変換し第２のトランスポートストリームを生成する番組配列情報変換手段と、前記第２のトランスポートストリームと前記通信手段より入力した前記番組配列情報とを多重する多重手段と、前記多重手段の出力を変調しＣＡＴＶ伝送路に出力する変調手段とを具備し、前記システム管理装置は、番組配列情報を送受信する第２の通信手段と、番組配列情報を処理する番組配列情報処理手段とを具備し、前記第２の通信手段は、前記番組配列情報を前記予備系のＣＡＴＶ送信装置から受信し、前記番組配列情報処理手段は必要に応じて処理を加え、前記１つ以上の現用系のＣＡＴＶ送信装置に送信することを特徴とするＣＡＴＶ再送信システムを提供する。
【００２６】
本発明はまた、地上デジタル放送波を変調変換してＣＡＴＶ網に再送信するＣＡＴＶ再送信システムにおける予備のＣＡＴＶ送信装置が予備系として待機している状態では、番組配列情報を収集するための方法を提供し、ここで、該方法は、地上デジタル放送波を受信してトランスポートストリームを出力するチューナステップと、出力されたトランスポートストリームから所望の番組配列情報を抽出し出力する番組配列情報抽出ステップと、現用系への切り替え信号を受信する切り替えステップと、前記チューナステップの選局を切り替える選局切り替えステップと、前記番組配列情報抽出ステップで抽出した前記番組配列情報を処理する番組配列情報処理ステップと、前記処理された番組配列情報を送信できる番組配列情報通信ステップと、を有することを特徴とする。
【００２７】
本発明はまた、上述の予備系のＣＡＴＶ送信装置を実行するためのプログラム、および上述のＣＡＴＶ再送信システムを実行するためのプログラム、ならびにこれらを記録した記録媒体を包含する。
【発明の効果】
【００２８】
本発明のＣＡＴＶ再送信システムによれば、追加機器なしで且つ複雑な処理なしで番組配列情報を全て収集し、送信できるため、ＣＡＴＶ網に伝送する全てのトランスポートストリーム各々に、自局の番組配列情報だけでなく他局の番組配列情報も含んで伝送するため、受信機は番組を視聴中でもリアルタイムに他のチャンネルの番組配列情報を入手することができ、視聴していない時に他のチャンネルを選局して番組配列情報を収集する等の複雑な機能を省くことができる。
【発明を実施するための最良の形態】
【００２９】
以下本発明の実施の形態について、図面を参照しながら説明する。
【００３０】
（実施の形態１）
図１は、本発明の実施の形態１におけるＣＡＴＶ再送信システムの構成図の一例である。図１には現用系４系予備系１系のＣＡＴＶ再送信システムを示している。図１において、図２と同じ構成要素については同じ符号を用い、説明を省略する。図１において、１１０、１２０及び１３０は１００と同じ、図示しない地上デジタル放送用アンテナからの信号を受信し再送信を行う現用系のＣＡＴＶ再送信装置であり、１５０は予備のＣＡＴＶ再送信装置であり、３００はＣＡＴＶ再送信システムを管理するシステム管理装置であり、９００はＣＡＴＶ伝送路に出力するために、ＣＡＴＶ送信装置の出力を混合する合波器である。
【００３１】
予備のＣＡＴＶ再送信装置１５０では、受信可能な全ての地上デジタル放送のチャンネルの番組配列情報を自動的に収集し、システム管理装置３００に送る。システム管理装置３００では収集された番組配列情報を現用器の１００、１１０、１２０及び１３０に送る。現用器では送られてきた全チャンネル分の番組配列情報を現在受信しているチャンネルの信号に多重して出力することによって、受信機７００ではあるチャンネルを受信してれば、全てのチャンネルの番組配列情報を受信することが可能となる。
【００３２】
予備のＣＡＴＶ再送信装置１５０の動作を図３を参照しながら説明する。図３は本発明の実施の形態１におけるＣＡＴＶ再送信システムの予備器の構成図の一例である。図３において、図２と同じ構成要素については同じ符号を用い、説明を省略する。
【００３３】
図３において、２１０は現用系の動作を行う際の現用系処理部であり、２２０は待機時に番組配列情報を収集する番組配列情報収集部であり、２２１は番組配列情報を受信するために地上デジタル放送のチャンネルを切り替える選局切り替え部であり、２２２は番組配列情報抽出部で抽出された各チャンネルの番組配列情報を処理する番組配列情報処理部であり、２２３は収集された番組配列情報を外部に出力する番組配列情報通信部であり、２３０はＣＡＴＶ再送信装置を現用系と予備系のいずれで動作するかを切り替える切り替え部である。
【００３４】
システム管理装置３００やユーザー設定により、現用系で動作するよう指示があった場合は切り替え部２３０からの命令で現用系処理部２１０が、予備系として動作する命令があった場合は番組配列情報収集部２２０が動作する。
【００３５】
まず、現用系処理部２１０の動作について説明を行う。現用系処理部２１０は現用系のＣＡＴＶ再送信装置１００と同様の動作を行う。
【００３６】
チューナ部１０１より出力されたトランスポートストリームは、番組配列情報変換部１０２において番組配列情報中の変更する必要のある部分のみが変換され、第２のトランスポートストリームが生成される。例えば、ＮＩＴ（Ｎｅｔｗｏｒｋ  Ｉｎｆｏｒｍａｔｉｏｎ  Ｔａｂｌｅ）情報の中の周波数情報は、地上デジタルで使用する周波数とＣＡＴＶ伝送路６００で使用する周波数が異なる可能性があるため、異なる場合には周波数テーブルの変換が必要である。生成された第２のトランスポートストリームは多重部１０４に入力される。一方、チューナ部１０１より出力されたトランスポートストリームは番組配列情報抽出部１０３にも入力される。番組配列情報抽出部１０３では、他局で必要となる番組配列情報例えばＮＩＴ、ＢＩＴ、ＳＤＴ、ＥＩＴ）のみを抽出し、通信部１０６を通してシステム管理装置３００に送出する。システム管理装置３００では、ＣＡＴＶ再送信装置１００で抽出された番組配列情報を収集し、第２の番組配列情報の生成を行う。第２の番組配列情報は番組配列情報制御装置２００よりＣＡＴＶ再送信装置１００の通信部１０６で受信され、多重部１０４に送られる。第２のトランスポートストリームと第２の番組配列情報は多重部１０４で多重後、変調部１０５で変調され、ＣＡＴＶ伝送路に出力される。変調された信号はＣＡＴＶ伝送路に接続されている全ての受信機に入力され、受信機は番組配列情報を元に選局動作を行い、テレビに映像の表示やＥＰＧ表示等が行える。
【００３７】
次に、予備系として待機しているときに動作する番組配列情報収集部２２０の動作を説明する。
【００３８】
選局切り替え部２２１ではチューナ部１０１を制御して地上デジタル放送の帯域を自動的に周波数スキャンし、受信可能な全チャンネルを順に選局し、番組配列情報抽出部１０３で該当チャンネルの番組配列情報を抽出して、番組配列情報処理部２２２に送る。番組配列情報は数秒から数分単位で送信されるので受信チャンネルの番組配列情報を受信し次第、次のチャンネルの選局に移る。この処理を繰り返す。次に番組配列情報抽出部で抽出された各チャンネルの番組配列情報を処理する番組配列情報処理部２２２は各チャンネルで受信された番組配列情報を格納する。全チャンネル分の番組配列情報が収集されたら、ひとつのデータとして統合する。統合された全チャンネル分のデータは番組配列情報通信部２２３からシステム管理装置３００に送信される。これらの処理を全チャンネル分の番組配列情報が抽出されるたびに繰り返し行う。なお、番組配列情報処理部２２２は各チャンネル分の情報を保存し、周期的に抽出される番組配列情報と比較して、更新されている場合にのみシステム管理装置３００に送信しても同様の効果が得られる。
【００３９】
次に、システム管理装置３００の動作を図を用いて説明する。
【００４０】
図４は、ＣＡＴＶ再送信装置とシステム管理装置３００の接続とその間の通信内容の一例である。また、２０００は予備のＣＡＴＶ送信装置からの全番組配列情報、１０００及び１００１及び１００２はシステム管理装置３００から出力される第２の番組配列情報であり、ＣＡＴＶ再送信装置１００、ＣＡＴＶ再送信装置１１０およびＣＡＴＶ再送信装置１２０に対応付けて、第２の番組配列情報１０００〜第２の番組配列情報１００２と番号を付与している。
【００４１】
システム管理装置３００は、予備のＣＡＴＶ再送信装置１５０で収集された番組配列情報２０００を受信し、ＣＡＴＶ再送信装置１００、ＣＡＴＶ再送信装置１１０およびＣＡＴＶ再送信装置１２０毎に個別に、第２の番組配列情報１０００、第２の番組配列情報１００１および第２の番組配列情報１００２が生成される。それぞれの違いは、対象となる装置以外の番組配列情報が生成されているところにある。
【００４２】
図５は、ＣＡＴＶ再送信装置１００用の第２の番組配列情報１０００を生成した一例である。ＣＡＴＶ再送信装置１００用に生成される第２の番組配列情報には、ＣＡＴＶ再送信装置１００が受信している以外のチャンネルを受信しているＣＡＴＶ再送信装置、本例ではＣＡＴＶ再送信装置１０１とＣＡＴＶ再送信装置１０１が受信しているチャンネルの番組配列情報３００１と番組配列情報３００２が含まれるように生成される。ＣＡＴＶ再送信装置１００が受信する番組配列情報は、それぞれ自局の番組配列情報であることを示すＰＩＤ（Ｐａｃｋｅｔ  Ｉｄｅｎｔｉｆｉｅｒ：以下ＰＩＤと略す）が付与されているため、システム管理装置３００ではこのＰＩＤのみを他局のＰＩＤを示すように変更する必要がある。変更した番組配列情報をそれぞれ３００１１と３００１２の番号を付与している。ＣＡＴＶ再送信装置１００用の第２の番組配列情報１０００は、番組配列情報３００１１と番組配列情報３００１２を単に連結させただけで構成される。
【００４３】
このようにして生成された第２の番組配列情報１０００は、図６に示すようにシステム管理装置３００から他局の番組配列情報としてＣＡＴＶ再送信装置１００に入力され、ＣＡＴＶ再送信装置１００は自局の番組配列情報が含まれているトランスポートストリームに他局の番組配列情報１０００を多重部１０４で多重してＣＡＴＶ伝送路に出力する。
【００４４】
以上の動作により、受信機はどのトランスポートストリームを受信中でも他局の番組配列情報をリアルタイムに取得することが可能となる。
【００４５】
なお、この例ではＣＡＴＶ再送信装置１００のみの動作を示したが、ＣＡＴＶ再送信装置１０１やＣＡＴＶ再送信装置１０２でも同様な動作をすることは言うまでもない。
【００４６】
また、選局切り替え部２２１による切り替えは、システム管理装置３００やユーザーから指示されて、特定のタイミングや特定のチャンネルのみを選局してもよい。
【００４７】
また、本実施の形態では、現用系のＣＡＴＶ再送信装置１００と予備のＣＡＴＶ再送信装置１５０を別構成で説明したがいずれも予備のＣＡＴＶ再送信装置１５０の構成をとっても同等の効果が得られる。
【００４８】
また、システム管理装置３００で行う番組配列情報の処理を予備のＣＡＴＶ再送信装置１２０の番組配列情報処理部２２２で行ってもよい。これによって、システム管理装置３００がなくても同等の効果が得られる。この場合、現用系への番組配列情報は外部入力のトランスポートストリームとして渡してもよい。
【００４９】
また、この例ではシステム管理装置で生成される第２の番組配列情報は、対象となる装置以外の番組配列情報が生成されるとしたが、図７に示すように対象となる装置を含めた第２の番組配列情報が生成されるようにしてもよい。この場合、ＣＡＴＶ再送信装置１００では、受信しているチャンネルの番組配列情報は、番組配列情報変換部１０２でトランスポートストリームから削除される。
【００５０】
また、この例では、番組配列情報変更は自局であることを示すＰＩＤ部分のみとしているが、各ＣＡＴＶ再送信装置１００に流れているトランスポートストリーム上の番組構成と整合性が取れている限り、番組配列情報のその他の部分に変更を加えてもよい。
【００５１】
また、本構成によれば番組配列情報のみならずＮＩＴ等の番組関連情報に関しても予備系のＣＡＴＶ送信装置にて全チャンネル分を収集して各現用系より送信することも可能となる。
【産業上の利用可能性】
【００５２】
本発明にかかるＣＡＴＶ再送信システムは、地上デジタル放送のＣＡＴＶへの安価な再送信システム等として有用である。また、応用として予備系の活用としては各種放送システムへの適用も有用である。
【図面の簡単な説明】
【００５３】
【図１】本発明の実施の形態１に係る、ＣＡＴＶ再送信装置のブロック構成図
【図２】従来のＣＡＴＶ再送信システム構成図
【図３】本発明の実施の形態１に係る、予備のＣＡＴＶ再送信装置の構成図
【図４】ＣＡＴＶ再送信装置とシステム管理装置３００の接続とその間の通信内容の図
【図５】ＣＡＴＶ再送信装置１００用の第２の番組配列情報１０００を生成した図
【図６】他局番組配列情報の多重イメージ図
【図７】第２の番組配列情報の生成図
【符号の説明】
【００５４】
１００〜１３０    現用系のＣＡＴＶ再送信装置
１０１    チューナ部
１０２    番組配列情報変換部
１０３    番組配列情報抽出部
１０４    多重部
１０５    変調部
１０６    通信部
１５０    予備系のＣＡＴＶ再送信装置
２００    番組配列情報制御装置
２１０    予備系のＣＡＴＶ再送信装置における現用系処理部
２２０    予備系のＣＡＴＶ再送信装置における番組配列情報収集部
２２１    番組配列情報を受信するために地上デジタル放送のチャンネルを切り替える選局切り替え部
２２２    番組配列情報抽出部で抽出された各チャンネルの番組配列情報を処理する番組配列情報処理部
２２３    収集された番組配列情報を外部に出力する番組配列情報通信部
２３０    ＣＡＴＶ再送信装置を現用系と予備系のいずれで動作するかを切り替える切り替え部
３００    システム管理装置
６００    ＣＡＴＶ伝送路
７００    受信機
８００    テレビ
９００    合波器
１０００〜１００２    各ＣＡＴＶ再送信装置への第２の番組配列情報を識別するための番号
２０００    予備のＣＡＴＶ送信装置からの全番組配列情報
３００１    ＣＡＴＶ再送信装置１０１が受信しているチャンネルの番組配列情報
３００２    ＣＡＴＶ再送信装置１０２が受信しているチャンネルの番組配列情報
３００１１〜３００１２    変更した番組配列情報
【図１】
2005217844.tif 000003
【図２】
2005217844.tif 000004
【図３】
2005217844.tif 000005
【図４】
2005217844.tif 000006
【図５】
2005217844.tif 000007
【図６】
2005217844.tif 000008
【図７】
2005217844.tif 000009